(57)【特許請求の範囲】
【請求項１】
貯槽の垂直方向の動きを拘束することなく水平方向の動きを拘束するように、貯槽の側板外周側に位置する底板上面に垂直に立設したストッパーと、貯槽基礎に下部を埋設固定して垂直に立設したアンカーと、当該ストッパーとアンカーとを遊嵌状に挿通し上下の摺動が可能で着脱自在に連結する連結具とを設けて形成したことを特徴とする貯槽の滑動防止装置。
【発明の詳細な説明】
【０００１】
【発明の属する技術分野】
この発明は、石油や水等を貯蔵する平底円筒形貯槽の滑動防止装置に関するものである。
【０００２】
【従来の技術】
平底円筒形貯槽は、地震または強風等により荷重が加わった場合に、貯槽が浮き上がり、転倒、若しくは滑動などしないように、貯槽の側板に取付けたブラケットと貯槽の基礎に下部を埋設固定したアンカーボルトとを連結して、貯槽の基礎に固定されている。
【０００３】
ところで、直径が小さく背の高い小形の貯槽などにおいては、液を貯蔵した状態では、地震または強風等によって転倒も滑動もしないが、空液時には強風の風圧力によって滑動が生じるおそれがある。そこで、このような貯槽では開放点検時などの空液時のみに、強風の風圧力に対抗し得るアンカーが必要となる。このアンカーは、水平方向の動きを拘束しかつ垂直方向の動きは拘束することがないようにした滑動防止構造が考えられる。
【０００４】
このように、風圧力などの横滑りに対して必要となる貯槽の滑動防止装置としては、本出願人に係る実用新案登録第１９９０５９３号の平底円筒貯槽のスベリ止め装置が考えられている。このスベリ止め装置のアンカー構造の概略を、図３に基づいて説明する。このスベリ止め装置は、貯槽１の側板３の下縁近部に均等な隔接代をもって円周方向に複数個固定したブラケット２１と、貯槽１の基礎４にブラケット２１と対応して埋設した複数個のアンカー６とを設け、このブラケット２１とアンカー６をアンカーガイド２０によって摺動自在に係合して、貯槽１の底板２が強風時の風圧力によって基礎４上を横滑りの移動を生じないように、かつ、地震時には貯槽１の軸心に平行する上下方向に動きを拘束しないように形成したものである。
【０００５】
【発明が解決しようとする課題】
図３に示した従来例のスベリ止め装置は、貯槽１内に貯蔵液を入れた時に、側板３が膨らみ大きく変形するため、ブラケット２１に液荷重により水平方向の荷重がかかり、アンカーガイド２０の垂直方向の軸心が傾き、アンカー６がアンカーガイド２０内を上下に円滑に摺動し難くなるおそれがあった。そのために、地震時に貯槽１に垂直方向の荷重がかかった場合に、上下方向の摺動が損なわれているため、アンカー６やブラケット２１に荷重がかかってアンカー６やブラケット２１が変形したり損傷するおそれや、ブラケット２１取付部近傍の側板３に変形や損傷を生じる心配があった。
【０００６】
また、地震で基礎４のアンカー６から水平方向の荷重がブラケット２１を介して貯槽１の側板３に伝達した際や、地震で貯槽１が水平方向に荷重を受けた際にも、ブラケット２１の取付部近傍の側板３に荷重がかかり、側板３に変形や損傷を生じるおそれがあった。
【０００７】
なお、上記従来例のスベリ止め装置は、構造が複雑かつ頑強な固定構造であるため、貯蔵液が入った状態のアンカーが必要のない時に取外し、空液時のアンカーが必要な時に取付けるように着脱ができる構造ではなかった。
【０００８】
この発明は、上述の課題に鑑みてなされたもので、貯槽の側板に変形や損傷などの悪影響を及ぼすことなく、かつアンカー連結部材も変形や損傷などすることなく、また必要に応じて取付け取外しが自在の簡単な構造で、水平方向の動きを拘束し垂直方向の動きは拘束することなく円滑に摺動する安全性の高い貯槽の滑動防止装置を提供するものである。
【０００９】
【課題を解決するための手段】
この発明に係る貯槽の滑動防止装置は、貯槽の垂直方向の動きを拘束することなく水平方向の動きを拘束するように、貯槽の側板外周側に位置する底板上面に垂直に立設したストッパーと、貯槽基礎に下部を埋設固定して垂直に立設したアンカーと、当該ストッパーとアンカーとを遊嵌状に挿通し上下の摺動が可能で着脱自在に連結する連結具とを設けて形成したものである。
【００１１】
【発明の実施の形態】
この発明に係る貯槽の滑動防止装置は、貯槽の底板を貯槽基礎の埋設アンカーに間接連結形成するものである。下記詳述するような遊嵌状連結具などを介して、貯槽の底板外周縁を貯槽の基礎に埋設固定したアンカーに間接に連結するものである。間接の連結は、貯槽の垂直方向の動きを拘束することなく水平方向の動きを拘束するように形成するものである。
【００１２】
この発明に係る貯槽の滑動防止装置について、貯槽の底板外周縁と貯槽の基礎に埋設したアンカーとを間接に連結する場合の実施形態例を、図１及び図２に基づいて詳細に説明する。石油や水等を貯蔵する貯槽１は、円形平板状の底板２と円筒形状の側板３とから平底円筒形貯槽に形成している。４は貯槽１の基礎、５は貯槽１の基礎４上外周面の犬走りである。
【００１３】
滑動防止装置は、基礎４に下部を埋設固定したアンカー６と、底板２外周縁に立設固定したストッパー７と、これらアンカー６とストッパー７双方を間接に連結する連結具８とから形成し、強風の風圧力などによって空液時の貯槽１が横滑りしないように基礎４に連結固定している。
【００１４】
上記ストッパー７は円柱状部材で形成し、貯槽１の側板３外周側に位置する底板２上面に隔接して垂直に立設する。このストッパー７と対応する円周外側方向位置の貯槽１基礎４の犬走り５に、円柱状部材よりなるアンカー６の下部を埋設固定して垂直に立設する。上記連結具８は、ストッパー７とアンカー６を間接に連結し、かつそれぞれが垂直方向の動きを拘束することなく摺動可能となるように、それぞれ円柱状部材に遊嵌状に挿通するとともに、水平方向の動きを拘束し相互の間隔を維持するように、所定位置に取付穴９Ａ，９Ｂを設けて着脱自在の構造に形成する。
【００１５】
また上記ストッパー７は、地震や強風で貯槽１が水平方向の荷重を受けた際に、曲がったり破損することのない充分な強度を有する直径、例えば数ミリメートルから数十ミリメートルで、かつ地震で垂直方向に摺動した際に、連結具８の取付穴９Ａから抜け出すことのない長さ、例えば数十ミリメートルから数百ミリミリメートル底板から上方に突出する円柱状部材で形成し、その下端部を底板２に溶接などで頑強に固着する。また、上記アンカー６は、地震や強風で貯槽１から連結具８を介して水平方向の荷重を受けた際に、曲がったり破損することのない強度を有する直径、例えば数ミリメートルから数十ミリメートルで、かつ地震で垂直方向に摺動した際に、連結具８の取付穴９Ｂから抜け出すことのない長さ、例えば数十ミリメートルから数百ミリメートル犬走り５上面から上方に突出する円柱状部材で形成し、その下部は屈曲させ基礎４内に頑強に埋設固定する。
【００１６】
なお、図示例は、円柱状部材でストッパー７を形成した場合を示したが、円管や矩形管、成形材などの部材で形成してもよい。また、アンカー６も円柱状部材で形成した場合を示したが、円管や矩形管、成形材などの部材で形成してもよい。この場合、連結具８の各取付穴９Ａ，９Ｂいずれの形状も、これらストッパー７とアンカー６の各断面形状に対応させ、遊嵌して上下の摺動が円滑で、着脱自在となる構造に形成する。
【００１７】
図に示すようなプレート状の連結具８の場合には、平板材を使用し取付穴９Ａ，９Ｂを開口して簡単容易に製作でき、取扱い易く取付け取外しや運搬などの作業も容易にできる。また取付穴の形状が、矩形や各種形状の場合でも、適宜形状に対応して、所定位置に簡単容易に開口形成することができる。
【００１８】
上記連結具８の各取付穴９Ａ，９Ｂに、前記した滑動防止装置のストッパー７及びアンカー６を遊嵌状に挿通して取付けるので、貯槽１内に貯蔵液が入った状態の滑動防止を必要としない時には上方から抜いて取外しておき、また、開放点検時などの空液時の強風対策で滑動防止を必要とする時には上方から挿通して取付けるなどして、適宜簡単容易に着脱して使用することができる。よって、貯液状態では連結具８を取外しておくことによって、地震で貯槽１に垂直方向の荷重や水平方向の荷重がかかった場合に、滑動防止装置及び滑動防止装置取付部の底板２に変形や損傷の心配がなく安全性が保たれる。また空液時には連結具８を取付けておくことによって、強風時の風圧力などで貯槽１に水平方向の荷重がかかった場合に、貯槽１の横滑りが防止され安全である。
【００１９】
なお、図示省略するが、連結具は、棒状部材の両端所定間隔位置に２個のリングを設け、このリングを取付穴に相当するように形成してもよい。このようなリング状連結具は、鍛造などによって容易に製作できる。また、連結具をパイプ状連結具で形成してもよい。このパイプ状連結具は、棒状部材の両端所定間隔位置に２個のパイプを設け、このパイプの内径が、摺動自在なガイドの取付穴に相当するように形成する。このパイプ状連結具は、管材を使用して簡単容易に製作することができる。さらにまた、連結具は両端にリングを設け、このリング間を連結するワイヤやチェーン等の部材で形成してもよい。このような連結具は、中間部が捩じれや回転方向の移動に対して自由に動くため、比較的小形の貯槽の場合などに適し、簡単容易に使用することができる。
【００２０】
【発明の効果】
この発明に係る貯槽の滑動防止装置は、貯槽の垂直方向の動きを拘束することなく水平方向の動きを拘束するように、貯槽の側板外周側に位置する底板上面に垂直に立設したストッパーと、貯槽基礎に下部を埋設固定して垂直に立設したアンカーと、当該ストッパーとアンカーとを遊嵌状に挿通し上下の摺動が可能で着脱自在に連結する連結具とを設けて形成したので、貯蔵液が入った状態で固定の必要のない時に連結具を取外し、空液時の固定が必要な時に連結具を取付けるなど、貯蔵液量に対応して適宜容易に連結具を着脱することができる。特に、連結具を、垂直に立設したストッパー及びアンカーを遊嵌状に挿通して取付けるので、貯槽内に貯蔵液が入った状態で滑動防止を必要としない時には上方から抜いて取外しておき、また、開放点検時などの空液時の強風対策で滑動防止を必要とする時には上方から挿通して取付けるなどして、適宜簡単容易に着脱して使用することができる。よって、貯液時には連結具を取外しておくので地震等で貯槽が垂直方向や水平方向の荷重を受けた場合に変形や損傷を生じることがなく、空液時には連結具を取付けておくので強風時の風圧力等で貯槽が水平方向の荷重を受けた場合に横滑りが防止され、地震や強風等に対して貯槽の安全性を一層向上させるように滑動防止装置を適用することができる。
【００２３】
【図面の簡単な説明】
【図１】  この発明に係る貯槽の滑動防止装置を平底円筒形貯槽に設けた状態を示す斜視説明図である。
【図２】  図１の側断面説明図である。
【図３】  従来の平底円筒貯槽のスベリ止め装置の概略を示す側断面説明図である。
【符号の説明】
１  貯槽                    ２  底板
３  側板                    ４  基礎
５  犬走り                  ６  アンカー
７  ストッパー              ８  連結具
９，９Ａ，９Ｂ  取付穴
２０  アンカーガイド        ２１  ブラケット
【図１】
0003948502.tif 000002
【図２】
0003948502.tif 000003
【図３】
0003948502.tif 000004